(57)【要約】【課題】はだけにくいベビー用肌着を提供する。【解決手段】ベビー用肌着１は、後身頃２、右前身頃３、左前身頃４、両袖部分５および股下部６から構成され、股下部６は、後身頃２の下端に一体的に繋げられている。乳児を後身頃２に仰向けに置き、乳児の股の部分を後から前にかけて股下部６で覆った状態で乳児のおなかを覆う股下部６の部分の外側には、１対の面ファスナー７のうちの一方の面ファスナー７ａが帯状に設けられている。一方、右前身頃３の内側には、その一方の面ファスナー７ａと係止される他方の面ファスナー７ｂが設けられている。また、左前身頃４の内側にも、その一方の面ファスナー７ａと係止される他方の面ファスナー８ｂが設けられている。【選択図】図１
0003127405.tif 000002
【実用新案登録請求の範囲】
【請求項１】
後身頃と、
前記後身頃に対して右側に形成された右前身頃と、
前記後身頃に対して左側に形成された左前身頃と、
両袖部分と、
前記後身頃の下端に一体的に繋げられた股下部と、
乳児を前記後身頃に仰向けに置き、乳児の股の部分を後から前にかけて前記股下部で覆った状態で前記右前身頃を前記股下部に留めるための、前記右前身頃の内側と前記股下部の外側に形成された第１留め部と、
前記右前身頃を前記股下部に留めた状態で前記左前身頃を前記股下部に留めるための、前記左前身頃の内側と前記股下部の外側に形成された第２留め部と
を備えた、ベビー用肌着。
【請求項２】
前記第１留め部は、前記右前身頃および前記股下部に設けられた１対の第１面ファスナーを含み、
前記第２留め部は、前記左前身頃および前記股下部に設けられた１対の第２面ファスナーを含む、請求項１記載のベビー用肌着。
【請求項３】
１対の前記第１面ファスナーのうち前記股下部に設けられる一方の面ファスナーと、１対の前記第２面ファスナーのうち前記股下部に設けられる一方の面ファスナーとは、一体的に形成された、請求項２記載のベビー用肌着。
【請求項４】
前記第１留め部は、前記右前身頃および前記股下部に取付けられた１対の第１ボタンを含み、
前記第２留め部は、前記左前身頃および前記股下部に取付けられた１対の第２ボタンを含む、請求項１記載のベビー用肌着。
【請求項５】
１対の前記第２ボタンのうち、前記股下部に取付けられる一方のボタンは異なる位置に複数取付けられている、請求項４記載のベビー用肌着。
【請求項６】
乳児の股の部分を後から前にかけて前記股下部で覆うとともに、前記右前身頃で乳児の胸の部分を覆った状態で前記右前身頃を左前身頃の側に留めるための、前記後身頃と前記右前身頃の繋ぎ目の上部と、前記右前身頃の上部とにそれぞれ一端が縫い付けられて他端が結び付けられる第１結びひもと、
前記右前身頃を前記左前身頃の側に留めた状態で前記左前身頃を前記右前身頃の側に留めるための、前記右前身頃の下部と前記左前身頃の下部とにそれぞれ一端が縫い付けられて他端が結び付けられる第２結びひもと
を備えた、請求項１〜５のいずれかに記載のベビー用肌着。
【請求項７】
後身頃と、
前記後身頃に対して右側に形成された右前身頃と、
前記後身頃に対して左側に形成された左前身頃と、
両袖部分と、
前記後身頃の下端に一体的に繋げられた股下部と、
乳児を前記後身頃に仰向けに置き、乳児の股の部分を後から前にかけて前記股下部で覆うとともに、前記右前身頃で乳児の胸の部分を覆った状態で前記右前身頃を左前身頃の側に留めるための、前記後身頃と前記右前身頃の繋ぎ目の上部と、前記右前身頃の上部とにそれぞれ一端が縫い付けられて他端が結び付けられる第１結びひもと、
前記右前身頃を前記左前身頃の側に留めた状態で前記左前身頃を前記右前身頃の側に留めるための、前記右前身頃の下部と前記左前身頃の下部とにそれぞれ一端が縫い付けられて他端が結び付けられる第２結びひもと
を備えた、ベビー用肌着。
【請求項８】
乳児の股の部分を後から前にかけて前記股下部で覆った状態で前記右前身頃を前記股下部に留めるための、前記右前身頃の内側と前記股下部の外側に形成された第１留め部と、
前記右前身頃を前記股下部に留めた状態で前記左前身頃を前記股下部に留めるための、前記左前身頃の内側と前記股下部の外側に形成された第２留め部と
を備えた、請求項７記載のベビー用肌着。
【考案の詳細な説明】
【技術分野】
【０００１】
本考案はベビー用肌着に関し、特に、短肌着に股下部分を一体的に形成したベビー用肌着に関するものである。
【背景技術】
【０００２】
ベビー用肌着には、下着として首から腰あたりまでの比較的着丈の短い短肌着がある。そして、腰より下の股部分には、おむつの上から穿かせるオーバーパンツがある。ところが、その短肌着とオーバーパンツとは別体であるために枚数が多くなるほど嵩張って、衣類ケース等に収納するのが困難になるという問題があった。これを解消するために、たとえば特許文献１では、短肌着とオーバーパンツとを一体的に形成したベビー用肌着が提案されている。
【０００３】
図１１に示すように、このベビー用肌着１０１では、後身頃１０２、右前身頃１０３、左前身頃１０４および両袖部分１０５から構成される短肌着の後身頃１０２の下端に、オーバーパンツに相当する股下部１０６が一体的に繋げられている。
【０００４】
このベビー用肌着１０１を乳児に着せるには、図１２に示すように、まず、股下部１０６でおむつ１１５を上から覆い、フラップ１１１の先端部内面に設けられた面ファスナー１１２を股下部１０６に設けられた面ファスナー１１３に係止させる。次に、図１３に示すように、その状態で右前身頃１０３を閉じて結びひも１０７，１０８を結び合わせ、そして、図１４に示すように、左前身頃１０４を閉じて結びひも１０９，１１０を結び合わせる。こうして、乳児１２０に肌着１０１が着せられる。
【特許文献１】特開２００４−２５６９７６号公報
【考案の開示】
【考案が解決しようとする課題】
【０００５】
しかしながら、従来のベビー用肌着では次のような問題点があった。図１１に示すように、股下部１０６の先端部を短肌着に留めるフラップ１１１は、後身頃１０２と右前身頃１０３との境い目部分と、後身頃１０２と左前身頃１０４との境い目部分との２箇所に設けられている。そのため、右前身頃１０３と左前身頃１０４とを閉じて結びひも１０７〜１１０を結び合わせた状態でも、左前身頃１０４の下端部がはだけ易いという問題があった。そして、左前身頃１０４の下端部がはだけると、その下にある右前身頃１０３の下端部もはだけ易くなった。
【０００６】
本考案は上記問題点を解決するためになされたものであり、その目的は、はだけにくいベビー用肌着を提供することである。
【課題を解決するための手段】
【０００７】
本考案に係るベビー用肌着は、後身頃と右前身頃と左前身頃と両袖部分と股下部と第１留め部と第２留め部とを備えている。右前身頃は後身頃に対して右側に形成されている。左前身頃は後身頃に対して左側に形成されている。股下部は後身頃の下端に一体的に繋げられている。第１留め部は、乳児を後身頃に仰向けに置き、乳児の股の部分を後から前にかけて股下部で覆った状態で右前身頃を前記股下部に留めるために、右前身頃の内側と股下部の外側に形成されている。第２留め部は、右前身頃を股下部に留めた状態で左前身頃を股下部に留めるために、左前身頃の内側と股下部の外側に形成されている。
【０００８】
この構成によれば、第１留め部により右前身頃の下部が股下部に留められるとともに、第２留め部により左前身頃の下端部が股下部に留められて、左前身頃がはだけたり、右前身頃がはだけるのを確実に防止することができる。
【０００９】
より具体的に、そのような第１留め部として、右前身頃および股下部に設けられた１対の第１面ファスナーがあり、第２留め部として、左前身頃および股下部に設けられた１対の第２面ファスナーがある。
【００１０】
乳児の成長に合わせて股下部に対して適切な位置に右前身頃および左前身頃を留めるには、その１対の第１面ファスナーのうち股下部に設けられる一方の面ファスナーと、１対の第２面ファスナーのうち股下部に設けられる一方の面ファスナーとは、一体的に形成されていることが好ましい。
【００１１】
また、１対の面ファスナーの他に、第１留め部として、右前身頃および股下部に取付けられた１対の第１ボタンがあり、第２留め部として、左前身頃および股下部に取付けられた１対の第２ボタンがある。
【００１２】
１対のボタンの場合、乳児の成長に合わせて股下部に対して適切な位置に右前身頃および左前身頃を留めるには、１対の第２ボタンのうち、股下部に取付けられる一方のボタンは異なる位置に複数取付けられていることが好ましい。
【００１３】
さらに、左前身頃がはだけたり、右前身頃がはだけるのを防止するには、乳児の股の部分を後から前にかけて股下部で覆うとともに、右前身頃で乳児の胸の部分を覆った状態で右前身頃を左前身頃の側に留めるための、後身頃と右前身頃の繋ぎ目の上部と、右前身頃の上部とにそれぞれ一端が縫い付けられて他端が結び付けられる第１結びひもと、右前身頃を左前身頃の側に留めた状態で左前身頃を右前身頃の側に留めるための、右前身頃の下部と左前身頃の下部とにそれぞれ一端が縫い付けられて他端が結び付けられる第２結びひもとを備えていることが好ましい。
【００１４】
本考案に係る他のベビー用肌着は、後身頃と右前身頃と左前身頃と両袖部分と股下部と第１結びひもと第２結びひもとを備えている。右前身頃は後身頃に対して右側に形成されている。左前身頃は後身頃に対して左側に形成されている。股下部は後身頃の下端に一体的に繋げられている。第１結びひもは、乳児を後身頃に仰向けに置き、乳児の股の部分を後から前にかけて股下部で覆うとともに、右前身頃で乳児の胸の部分を覆った状態で右前身頃を左前身頃の側に留めるために、後身頃と右前身頃の繋ぎ目の上部と、右前身頃の上部とにそれぞれ一端が縫い付けられて他端が結び付けられる。第２結びひもは、右前身頃を左前身頃の側に留めた状態で左前身頃を右前身頃の側に留めるために、右前身頃の下部と左前身頃の下部とにそれぞれ一端が縫い付けられて他端が結び付けられる。
【００１５】
この構成によれば、第１結びひもにより右前身頃で乳児の胸の部分を覆った状態で右前身頃が左前身頃の側に留められて、第２結びひもにより右前身頃を左前身頃の側に留めた状態で左前身頃が右前身頃の側に留められて、左前身頃がはだけたり、右前身頃がはだけるのを防止することができる。
【００１６】
左前身頃がはだけたり、右前身頃がはだけるのを確実に防止するには、乳児の股の部分を後から前にかけて股下部で覆った状態で右前身頃を前記股下部に留めるために、右前身頃の内側と股下部の外側に第１留め部を形成するとともに、右前身頃を股下部に留めた状態で左前身頃を股下部に留めるために、左前身頃の内側と股下部の外側に第２留め部を形成することが好ましい。
【考案を実施するための最良の形態】
【００１７】
実施の形態１
本考案の実施の形態１に係るベビー用肌着について説明する。図１に示すように、ベビー用肌着１は、後身頃２、右前身頃（あるいは下前身頃）３、左前身頃（あるいは上前身頃）４、両袖部分５および股下部６から構成される。股下部６は、後身頃２の下端に一体的に繋げられている。
【００１８】
図２に示すように、乳児２０を後身頃２に仰向けに置き、乳児２０のおむつ２１を後から前にかけて股下部６で覆った状態で乳児２０のおなかを覆う股下部６の部分の外側には、互いに係止する１対の面ファスナー（第１面ファスナー）７のうちの一方の面ファスナー７ａが帯状に設けられている。右前身頃３の内側には、その一方の面ファスナー７ａと係止する他方の面ファスナー７ｂが設けられている。また、左前身頃４の内側にも、その一方の面ファスナー７ａと係止する他方の面ファスナー８ｂが設けられている。
【００１９】
そして、左前身頃４と後身頃２との繋ぎ目の左脇にあたる部分と、右前身頃３の上部とには、互いに結ばれる結びひも（第１結びひも）９，１０の一端がそれぞれ縫い付けられている。また、右前身頃３の下部と左前身頃４の下部にも、互いに結ばれる結びひも（第２結びひも）１１，１２の一端がそれぞれ縫い付けられている。
【００２０】
次に、上述したベビー用肌着１の乳児への着せ方について説明する。まず、図１に示すようにベビー用肌着１を広げ、次に、図２に示すように、乳児２０を後身頃２に仰向けに置き、乳児２０のおむつ２１を後から前にかけて股下部６で覆う。次に、図３に示すように、右前身頃３に設けられた他方の面ファスナー７ｂを股下部６に設けられた一方の面ファスナー７ａに係止させることによって、右前身頃３の下部を股下部６に留める。次に、右前身頃３の上部が乳児２０の胸の部分を覆うように、右前身頃３に縫い付けられた結びひも１０の他端と、左前身頃４と後身頃２との繋ぎ目に縫い付けられた結びひも９の他端とを結び合わせる。
【００２１】
次に、図４に示すように、左前身頃４に設けられた他方の面ファスナー８ｂを股下部６に設けられた一方の面ファスナー７ａに係止させることによって、左前身頃４の下端部を股下部６に留める。最後に、左前身頃４に縫い付けられた結びひも１１の他端と、右前身頃３に縫い付けられた結びひも１２の他端とを結び合わせる。こうして、ベビー用肌着１を乳児２０に着せることができる。一方、ベビー用肌着１を脱がせるには、上述した手順を逆に行なえばよい。
【００２２】
上述したベビー用肌着１では、左前身頃４と後身頃２との繋ぎ目の左脇にあたる部分と、右前身頃３の上部とには、それぞれ一端が縫い付けられて他端が結び付けられる結びひも９，１０を備え、そして、右前身頃３の下部と左前身頃４の下部にも、それぞれ一端が縫い付けられて他端が結び付けられる結びひも１１，１２を備えている。これにより、右前身頃３を左前身頃４の側に留めた状態で左前身頃４が右前身頃３の側に留められて、左前身頃４がはだけたり、右前身頃３がはだけるのを防止することができる。
【００２３】
また、乳児２０のおなかを覆う股下部６の部分の外側に、互いに係止する１対の面ファスナー７のうちの一方の面ファスナー７ａが設けられ、右前身頃３の内側にこの一方の面ファスナー７ａと係止する他方の面ファスナー７ｂが設けられるとともに、左前身頃４の内側にもこの一方の面ファスナー７ａと係止する他方の面ファスナー８ｂが設けられている。
【００２４】
これにより、右前身頃３の下部が股下部６に留められるとともに、左前身頃４の下端部が股下部６に留められて、仮に、結びひも９〜１２が解けたとしても、左前身頃４がはだけたり、右前身頃３がはだけるのを確実に防止することができる。
【００２５】
また、股下部６に設けられる一方の面ファスナー７ａとして帯状のものを設けることで、右前身頃３と左前身頃４にそれぞれ設けられた他方の面ファスナー７ｂ、８ｂを乳児２０の成長に合わせた適切な位置に係止させることができる。
【００２６】
なお、一方の面ファスナー７ａとしては、上述した帯状の一体的なものに限られず、たとえば、図５に示すように、右前身頃３の内側に設けられる他方の面ファスナー７ｂと左前身頃４の内側に設けられる他方の面ファスナー８ｂとがそれぞれ係止される２つの一方の面ファスナー７ａ，８ａを股下部６にそれぞれ設けるようにしてもよい。
【００２７】
実施の形態２
本考案の実施の形態２に係るベビー用肌着について説明する。図６に示すように、ベビー用肌着１には、乳児のおなかを覆う股下部６の部分の外側の所定の位置に、たとえばスナップボタンのような互いに係合する１対のボタン（第１ボタン）１５，１６のうちの一方のボタン１５ａ，１６ａ，１６ｂが３箇所取付けられている。３つの一方のボタン１５ａ，１６ａ，１６ｂのうち、１つの一方のボタン１５ａは右足の付け根側に取付けられ、残りの２つの一方のボタン１６ａ，１６ｂは左足の付け根側に間隔を隔てて取付けられている。
【００２８】
右前身頃３の内側には、３つの一方のボタン１５ａ，１６ａ，１６ｂのうち、１つの一方のボタン１５ａと係合する他方のボタン１５ｂが取付けられている。左前身頃４の内側には、残りの２つの一方のボタン１６ａ，１６ｂのうちのいずれかのボタンと係合する他方のボタン１６ｃが取付けられている。
【００２９】
また、股下部６には、おむつ２１が外側から見えないように股下マチ部１７が設けられている。なお、これ以外の構成については、前述したベビー用肌着１と同様なので、同一部材には同一符号を付しその説明を省略する。
【００３０】
次に、上述したベビー用肌着の乳児への着せ方について説明する。まず、図６に示すようにベビー用肌着１を広げ、次に、図７に示すように、乳児２０を後身頃２に仰向けに置き、乳児２０のおむつ２１を後から前にかけて股下部６で覆う。次に、図８に示すように、右前身頃３に取付けられた他方のボタン１５ｂと股下部６に設けられた一方のボタン１５ａとを互いに係合させることによって、右前身頃３の下部を股下部６に留める。次に、右前身頃３の上部が乳児の胸の部分を覆うように、右前身頃３に縫い付けられた結びひも１０の他端と、左前身頃４と後身頃２との繋ぎ目に縫い付けられた結びひも９の他端とを結び合わせる。
【００３１】
次に、図９に示すように、左前身頃４に取付けられた他方のボタン１６ｃと股下部６に取付けられた一方のボタン１６ａとを互いに係合させることによって、左前身頃４の下端部を股下部６に留める。最後に、左前身頃４に縫い付けられた結びひも１１の他端と、右前身頃３に縫い付けられた結びひも１２の他端とを結び合わせる。こうして、ベビー用肌着１を乳児２０に着せることができる。一方、ベビー用肌着１を脱がせるには、上述した手順を逆に行なえばよい。
【００３２】
上述したベビー用肌着１では、前述したベビー用肌着１について説明したように、結びひも９〜１２により、右前身頃３を左前身頃４の側に留めた状態で左前身頃３が右前身頃３側に留められて、左前身頃４がはだけたり、右前身頃３がはだけるのを防止することができる。
【００３３】
そして、乳児２０のおなかを覆う股下部６の部分の外側の所定の位置に、１対のボタン１５，１６のうちの一方のボタン１５ａ，１６ａ，１６ｂが３箇所取付けられ、右前身頃３の内側に３つの一方のボタン１５ａ，１６ａ，１６ｂのうちの１つの一方のボタン１５ａと係合する他方のボタン１５ｂが設けられるとともに、左前身頃４の内側には、残りの２つの一方のボタン１６ａ，１６ｂのいずれかと係合される他方のボタン１６ｃが設けられている。
【００３４】
これにより、右前身頃３の下部が股下部６に留められるとともに、左前身頃４の下端部が股下部６に留められて、仮に、結びひも９〜１２が解けたとしても、左前身頃４がはだけたり、右前身頃３がはだけるのを確実に防止することができる。
【００３５】
また、股下部６の左足の付け根側に間隔を隔てて２つの一方のボタン１６ａ，１６ｂを取付けることによって、当初、左前身頃４の他方のボタン１６ｃを股下部６の一方のボタン１６ａと係合させていたのを、図１０に示すように、乳児２０の成長に応じて他方のボタン１６ｃを股下部６の一方のボタン１６ｂと係合させることができ、左前身頃４を股下部６に対して乳児２０の成長に合わせた適切な位置に留めることができる。
【００３６】
なお、股下部６に取付けられる一方のボタン１５ａ，１６ａ，１６ｂの数としては３つに限られず、乳児２０の成長に応じて右前身頃３や左前身頃４を適切な位置に股下部６に留めることができるように、４つ以上の一方のボタンを適当な位置に取付けるようにしてもよい。
【００３７】
また、上述した各実施の形態では、右前身頃３および左前身頃４を股下部６に留める部材として、１対の面ファスナー７，８および１対のボタン１５，１６を例に挙げて説明したが、安全にしかも確実に留めることができれば１対の面ファスナー７，８や１対のボタン１５，１６に限られず、他の留め部材を適用してもよい。
【００３８】
今回開示された実施の形態は例示にすぎず、これに制限されるものではない。本考案は上記で説明した範囲ではなく、実用新案登録請求の範囲によって示され、実用新案登録請求の範囲と均等の意味および範囲でのすべての変更が含まれることが意図される。
【図面の簡単な説明】
【００３９】
【図１】本考案の実施の形態１に係るベビー用肌着の展開図である。
【図２】同実施の形態において、図１に示すベビー用肌着の乳児への着せ方を説明するための一状態を示す上面図である。
【図３】同実施の形態において、図２に示す状態の後の状態を示す上面図である。
【図４】同実施の形態において、図３に示す状態の後の状態を示す上面図である。
【図５】同実施の形態において、変形例に係るベビー用肌着を示す上面図である。
【図６】本考案の実施の形態２に係るベビー用肌着の展開図である。
【図７】同実施の形態において、図６に示すベビー用肌着の乳児への着せ方を説明するための一状態を示す上面図である。
【図８】同実施の形態において、図７に示す状態の後の状態を示す上面図である。
【図９】同実施の形態において、図８に示す状態の後の状態を示す上面図である。
【図１０】同実施の形態において、変形例に係るベビー用肌着を示す上面図である。
【図１１】従来のベビー用肌着の展開図である。
【図１２】図１１に示すベビー用肌着の乳児への着せ方を説明するための一状態を示す斜視図である。
【図１３】図１２に示す状態の後の状態を示す斜視図である。
【図１４】図１３に示す状態の後の状態を示す斜視図である。
【符号の説明】
【００４０】
１  ベビー用肌着、２  後身頃、３  右前身頃、４  左前身頃、５  袖部分、６  股下部、７，８  １対の面ファスナー、７ａ  一方の面ファスナー、７ｂ  他方の面ファスナー、８ａ  一方の面ファスナー、８ｂ  他方の面ファスナー、９〜１２  結びひも、１５，１６  １対のボタン、１５ａ，１６ａ，１６ｂ  一方のボタン、１６ｃ  他方のボタン、１７  股下マチ部、２０  乳児、２１  おむつ。
【図１】
0003127405.tif 000003
【図２】
0003127405.tif 000004
【図３】
0003127405.tif 000005
【図４】
0003127405.tif 000006
【図５】
0003127405.tif 000007
【図６】
0003127405.tif 000008
【図７】
0003127405.tif 000009
【図８】
0003127405.tif 000010
【図９】
0003127405.tif 000011
【図１０】
0003127405.tif 000012
【図１１】
0003127405.tif 000013
【図１２】
0003127405.tif 000014
【図１３】
0003127405.tif 000015
【図１４】
0003127405.tif 000016